(57)【要約】      （修正有）【課題】傘に取り付け組み合わせることにより、使用者が芳香を楽しむことができる芳香発生器を提供する。【解決手段】芳香発生器４は、固定着脱可能ストッパー１０可動固着ストッパー１１及び弾性樹脂筒状体を備えている。弾性樹脂筒状体内部には弾性部材と保液体を備えている。弾性樹脂筒状体には外周面に複数本のスリット状放散口が設けてあり、芳香発生器４に可動固着ストッパー１１がスライド可能な可動体として装着され、中棒５には固定着脱可能ストッパー１０が固定体として装着され、傘使用時、可動固着ストッパー１１が上ろくろ３の上方への移動圧力で上方へ移動し弾性樹脂筒状体が外側にたわみ放散口から保液体が露出し芳香が拡散する。傘常態においては、弾性樹脂筒状体の放散口は弾性部材と弾性樹脂筒状体の形状戻り力により塞がれ芳香を中止する。【選択図】図３
2018033903.tif 000002
【特許請求の範囲】
【請求項１】
芳香液を吸収するための保液体（１７）と
芳香を放散するための放散口（２０）を有する弾性樹脂筒状体（１５）と
固定上ストッパー及び（１０）可動下ストッパー（１１）とで
構成された、傘の中棒（５）に取り付けるための芳香発生器（４）であって、
構成された、傘の中棒（５）に取り付けるための芳香発生器（４）であって、
傘の下ろくろ（３）と前記可動下ストッパー（１１）が相対的に動くことにより前記放散口（２０）が開き、前記保液体（１７）が露出して芳香を拡散することを特徴とする、芳香発生器（４）。
【請求項２】
前記固定上ストッパー（１０）及び前記可動下ストッパー（１１）に開口部（１９）を有し、傘の中棒（５）に対し着脱可能な器具であり、前記開口部（１９）は引掛け留め具（１８ａ）と係合するための、対向する一対の固定留め具（１８ｂ）を備えた引掛け留め具（１８）を備えている事を特徴とする請求項１に記載の芳香発生器（４）。
【請求項３】
弾性樹脂筒状体（１５）と前記傘の中棒（５）の間に弾性部材（１６）を備えている事を特徴とする請求項１又は２に記載の芳香発生器（４）。
【請求項４】
前記保液体（１７）は固定上ストッパー（１０）及び、前記可動下ストッパー（１１）の間隔が前記可動体下ストッパー（１１）の前記傘の中棒（５）上の移動で前記弾性樹脂筒状体（１５）が伸縮する動作に対応できるための柔軟性を有することを特徴とする、請求項１乃至３のうちのいずれか１項に記載の芳香発生器（４）。
【請求項５】
前記芳香発生器（４）が芳香発生を継続するには、前記可動下ストッパー（１１）で前記固定上ストッパー（１０）を押し続ける状態を傘の上はじき（７）で保持し、前記弾性樹脂筒状体（１５）の前記放散口（２０）の開きを継続し、芳香発生を継続することを特徴とする、請求項１乃至４のうちのいずれか１項に記載の前記芳香発生器（４）。
【請求項６】
芳香液を吸収するための保液体（１７）と
芳香を放散するための放散口（２０）を有する弾性樹脂筒状体（１５）と
固定上ストッパー及び（１０）可動下ストッパー（１１）とで
構成された、傘組み立て過程で着装された芳香発生器（４）であって、
傘の下ろくろ（３）と傘の上ろくろ（２）の間の前記中棒（５）に設置され、前記可動下ストッパー（１２ｂ）が相対的に動くことにより前記放散口（２０）が開き、前記保液体（１７）が露出して芳香を拡散することを特徴とする芳香発生器（４）。
【請求項７】
前記芳香発生器（４）は、前記保液体（１７）を取り換えるための着脱可能閉塞部材を備えることを特徴とする請求項６に記載の芳香発生器（４）
【請求項８】
弾性樹脂筒状体（１５）と前記傘の中棒（５）の間に弾性部材（１６）を備えている事を特徴とする請求項６又は７に記載の芳香発生器。
【請求項９】
前記保液体（１７）は、前記固定上ストッパー（１０）及び、前記可動下ストッパー（１１）の間隔が前記可動体下ストッパー（１１）の前記傘の中棒（５）上を移動することで前記弾性樹脂筒状体（１５）が伸縮する動作に対応できるための柔軟性を有することを特徴とする請求項６乃至８のうちのいずれか１項に記載の芳香発生器（４）。
【請求項１０】
前記芳香発生器（４）が芳香発生を継続するには、前記可動下ストッパー（１１）で前記固定上ストッパー（１０）を押し続ける状態を傘の上はじき（７）で保持し、前記弾性樹脂筒状体（１５）の前記放散口（２０）の開きを継続し、芳香発生を継続することを特徴とする請求項６乃至９のうちのいずれか１項に記載の前記芳香発生器（４）。
【発明の詳細な説明】
【技術分野】
【０００１】本発明は芳香発生器に関するものである。更に詳しくは、傘に取り付けが自在で、芳香を発生させて芳香を楽しむことができるようにしたものに関する。
【背景技術】
【０００２】  嗅覚は人間の五感のうちのひとつであり、身の回りに発生する多種多様な匂いが、人の精神状態に様々な影響を及ぼすことはすでに知られている。すなわち、ある種の匂いを嗅ぐと気分が良くなって精神状態が落ち着き、またある種の匂いを嗅ぐと不快になり落ち着かない等である。例をとり説明すると、例えば傘は生活するのに必要なものではあるが、長雨のときなどに雨傘をさすのは、乾ききれない傘から臭ってくる湿っぽい独特の臭気によって、うっとうしい気分になりやすい。
従来の発明は、傘の各部分に香料を塗布するか、紙、綿に染み込ませた器具を付けるか、香りを練りこんだプラスチィック等による匂い発生する形状である、具体的には特許文献５では香料が浸透している紙を傘に取り付ける、特許文献６では香りをプラスチィックに賦香して着装する、特許文献７は傘の構成部材中棒、上ろくろ、ランナー、傘生地、親骨等に香りを付着させる又は、収容した香りを孔部から発散する構造であり、特許文献８は別器具で芳香の拡散を中止する機能を有しない、コンパクトで傘と一体化して使える器具が望ましい。
【先行技術文献】
【特許文献】
【０００３】
【特許文献１】  実公昭２６−０１０３５２号公報
【特許文献２】  実用新案第３６９４３９号公報
【特許文献３】  実公昭３−００６５５８号公報
【特許文献４】  実用新案全文昭５３−０４４５５９号
【特許文献５】  実用新案全文昭５８−０４０１５１号
【特許文献６】  新案全文昭５２−１０４４６６号
【特許文献７】  特開２０００−５０９２５
【特許文献８】  特開２０００−３０８６７９Ａ
【発明の概要】
【発明が解決しようとする課題】
【０００４】前記したようなうっとうしく嫌な気分を払うために、明度の高い色を使用した傘地や明るい感じを与えるデザインが描かれている傘地の傘を使用する方法もあるが、所詮、外観すなわち視覚に訴えかけることだけでうっとうしく嫌な気分を払おうするものであるので、視覚だけでなく嗅覚等の他の感覚に同時に訴えかけて気分をよくする要素を感じ取ることができるようにした場合に比べれば、効果が劣ることはいうまでもない。
しかし、従来の香り発生傘では、香りを個人の好みで選びにくさがあり、傘を閉じた時の香り遮断効果が十分とは言えず、周囲に香り迷惑をかける懸念があり、香り剤の過度な消耗も防げない。【０００５】（目的）本発明は前記課題を解消するもので、傘に組み込むことにより、使用者が芳香を楽しむことかできるようにし、精神的な安定も併せて得られるようにした傘用芳香発生器を提供することを目的とし、従来の構成が有していた問題を解決し、香りの発生遮断を傘の開閉で行え、香り迷惑防止、香り剤の過度な消耗を防ぎ、消費者の要望に沿い好みの香り剤を使用出来る、芳香発生器の開発である。
【課題を解決するための手段】
【０００６】  前記目的を達成するために講じた本発明の手段は次のとおりである。第１の発明にあっては、芳香液を吸収するための保液体（１７）と芳香を放散するための放散口（２０）を有する開口部付き弾性樹脂筒状体（１５ａ）と固定上ストッパー及び（１０）可動下ストッパー（１１）とで構成され、傘に取り付けるための着脱可能芳香発生器（４ａ）であって、傘の下ろくろ（３）と前記可動下ストッパー（１１）が相対的に動くことにより前記放散口（２０）が開き、前記保液体（１７）が露出して芳香を拡散することを特徴とする、着脱可能芳香発生器（４ａ）。【０００７】  第２の発明にあっては、前記固定上ストッパー（１０）及び前記可動下ストッパー（１１）に開口部（１９）を有し、傘の中棒（５）に対し着脱可能な器具であり、前記開口部（１９）は引掛け留め具（１８ａ）と係合するための、対向する一対の固定留め具（１８ｂ）を備えた引掛け留め具（１８）を備えている事を特徴とする着脱可能芳香発生器（４ａ）。【０００８】第３の発明にあっては、開口部付き弾性樹脂筒状体（１５ａ）は、傘の中棒（５）との間に弾性部材（１６）と前記保液体（１７）が着装されている、傘の常態で開口部付き弾性樹脂筒状体（１５ａ）、及び前記弾性部材（１６）の戻り圧力で、前記弾性樹脂筒状体の前記放散口（２０）が閉じ、前記保液体（１７）から芳香拡散が中止される事を特徴とする、着脱可能芳香発生器（４ａ）。【０００９】第４の発明にあっては、前記保液体（１７）は固定上ストッパー（１０）及び、前記可動下ストッパー（１１）の間隔が前記可動体下ストッパー（１１）の前記傘の中棒（５）上の移動で前記開口部付き弾性樹脂筒状体（１５ａ）が伸縮する動作に対応できるための柔軟性を有することを特徴とする、請求項１乃至３のうちのいずれか１項に記載の前記着脱可能芳香発生器（４ａ）。【００１０】  第５の発明にあっては、前記着脱可能芳香発生器（４ａ）が芳香発生を継続するには、前記可動下ストッパー（１１）で前記固定上ストッパー（１０）を押し続ける状態を傘の上はじき（７）で保持し、前記開口部付き弾性樹脂筒状体（１５ａ）の前記放散口（２０）の開口を継続し、芳香発生を継続することを特徴とする、請求項１乃至４のうちのいずれか１項に記載の前記着脱可能芳香発生器（４ａ）【００１１】  第６の発明にあっては、芳香液を吸収するための保液体（１７）と
芳香を放散するための放散口（２０）を有する閉塞部付き弾性樹脂筒状体（１５ｂ）と
固定上ストッパー（１０）及び可動下ストッパー（１１）とで
構成された、傘組み立て過程で着装された筒状芳香発生器（４ｂ）であって、
傘の下ろくろ（３）と傘の上ろくろ（２）の間の傘の中棒（５）に設置され、前記可動下ストッパー（１１）が相対的に動くことにより前記放散口（２０）が開き、保液体（１７）が露出して芳香を拡散することを特徴とする筒状芳香発生器（４ｂ）。【００１２】第７の発明にあっては、前記筒状芳香発生器（４ｂ）は、前記保液体（１７）を取り換えるための着脱可能閉塞部材（１２）を備え、ストッパー雄部（１４）ストッパー雌部から着脱し前記保液体（１７）を取り換え可能であることを特徴とする前記筒状芳香発生器（４ｂ）【００１３】  第８の発明にあっては、閉塞部付き弾性樹脂筒状体（１５ｂ）と前記傘の中棒（５）の間に弾性部材（１６）を備えている、前記弾性部材は、傘常態時に閉塞部付き弾性樹脂筒状体の前記放散口（２０）を前記弾性部材の復元力で閉じる事を特徴とする前記の筒状芳香発生器（４ｂ）。【００１４】第１０の発明にあっては、前記保液体（１７）は固定上ストッパー（１０）及び、前記可動下ストッパー（１１）の間隔が前記可動体下ストッパー（１１）の前記傘の中棒（５）上の移動で前記閉塞部付き弾性樹脂筒状体（１５ｂ）が伸縮する動作に対応できるための柔軟性を有することを特徴とする、前記筒状芳香発生器（４ｂ）。【００１５】  第１１の発明にあっては、前記筒状芳香発生器（４ｂ）が芳香発生を継続するには、前記可動下ストッパー（１１）で前記固定上ストッパー（１０）を押し続ける状態を傘の上はじき（７）で保持し、前記閉塞部付き弾性樹脂筒状体（１５ｂ）の前記放散口（２０）の開口を継続し、芳香発生を継続することを特徴とする、前記閉塞部付き弾性樹脂筒状体（１５ｂ）。
【発明の効果】
【００１６】（ａ）本発明に係る芳香発生器では、傘の下ろくろが傘を開く力で中棒上を上方へスライドし、可動下ストッパーを相対的に動かすことで、弾性樹脂筒状体の放散口を開き、放散口から芳香を放散でき、又傘を閉じた常態では傘の下ろくろ及び可動下ストッパーが傘の中棒上を下方へ移動し弾性部材の戻り力で放散口が閉じて香りの放散を中止することで、周囲への芳香迷惑をへらし、傘常態で芳香液が過剰に消耗する無駄も生じにくい。【００１７】（ｂ）本発明に係る、芳香発生器では、留具付き筒状体に設けた開口部で着脱を可能にし、開口部留め具の操作で繰り返し着脱可能な芳香発生器である。【００１８】傘生産時着装する保液体取り換え可能な芳香発生器において、可動下ストッパーが着脱可能閉塞部材であり、下ストッパー雄部を下ストッパー雌部から中棒上で取り外し、保液体を取り換えて使用できるため、無駄がなく合理的である。【００１９】（ｃ）交換可能な前記保液体が芳香液を吸着するシートなので、芳香液の種類を適宜選択可能なので使用者に有用な使い方が可能である。
【図面の簡単な説明】
【００２０】
【図１】本発明に係る、着脱可能芳香発生器の放散口が開いた中棒取付け済み斜視図。
【図２】本発明に係る、着脱可能芳香発生器の放散口が開いた図１のＡ‐Ａ縦断面図。
【図３】本発明に係る、傘使用時の着脱可能芳香発生器の放散口が開いた傘全体の縦断面図。
【図４】本発明に係る、着脱可能芳香発生器の放散口が開いた図１のＢ‐Ｂ断面図。
【図５】本発明に係る、芳香発生器、図１のＢ１‐Ｂ１断面図。
【図６】本発明に係る、着脱可能芳香発生器の放散口が閉じた芳香発生器の斜視図。
【図７】図６に示す着脱可能芳香発生器の開口部を開いた斜視図。
【図８】本発明に係る、着脱可能芳香発生器の放散口を閉じた図６のＣ‐Ｃ縦断図。
【図９】本発明に係る、傘常態時、着脱可能芳香発生器の放散口が閉じた傘全体の縦断面図。
【図１０】本発明に係る、着脱可能芳香発生器の放散口を閉じた図６のＤ‐Ｄ断面図。
【図１１】本発明に係る、着脱可能芳香発生器の放散口を閉じた図６のＤ１‐Ｄ１断面図。
【図１２】本発明に係る、着脱可能芳香発生器の手開き傘取付け状態を示す斜視図。
【図１３】本発明に係る、着脱可能芳香発生器のジャンプ傘取付け状態を示す斜視図。
【図１４】図２１のジャンプ傘用着脱可能芳香発生器の図１３のＪ１‐ＪＩ断面図。
【図１５】図２１のジャンプ傘用着脱可能芳香発生器の図１３のＪ‐Ｊ断面図。
【図１６】本発明に係る傘使用時、保液体取り換え可能閉塞部付き弾性樹脂筒状体の放散口が閉じた斜視図面図。
【図１７】本発明に係る傘使用時、保液体取り換え可能閉塞部付き弾性樹脂筒状体の放散口が開いた斜視図。
【図１８】本発明に係る、保液体取り換え可能閉塞部付き弾性樹脂筒状体の図１６のＥ‐Ｅ縦断面図。
【図１９】本発明に係る、保液体取り換え可能閉塞部付き弾性樹脂筒状体の図のストッパー雄部を外した縦断面図。
【図２０】本発明に係る、保液体取り換え可能弾性樹脂筒状体の固定上ストッパー１６の図Ｆ−Ｆ断面図。
【図２１】本発明に係る、閉塞部付き弾性樹脂筒状体の１６図のＧ−Ｇ断面図。
【図２２】本発明に係る、保液体取り換え可能閉塞部付き弾性樹脂筒状体の図１６のＥ‐Ｅ縦断面図。
【図２３】本発明に係る、保液体取り換え可能閉塞部付き弾性樹脂筒状体の下ストッパー雄部外した縦断面図。
【図２４】本発明に係る着脱可能芳香発生器の引掛け留め具と固定留め具の斜視図。
【図２５】本発明に係る固定上ストッパーの斜視図。
【発明を実施するための形態】
【実施例１】
【００２１】  本発明の実施の形態の一つの例を図面に基づき更に詳細に説明する。実施例１では、傘の中棒５上に設置される、上ろくろ２と下ろくろ３の間に取り外し可能な芳香発生器に付いて述べる。図１は本発明に係る着脱可能芳香発生器４ａの実施の形態を示す斜視図で、符号４ａは着脱可能芳香発生器で、可動下ストッパー１１、固定上ストッパー１０及び放散口２０を備えた開口部付き弾性樹脂筒状体１５ａを備えている、前記着脱可能芳香発生器（４ａ）は傘の中棒に開口部から着脱し開口部留め具１８で取付けられる。【００２２】図２は傘使用時の放散口２０が開いた着脱可能芳香発生器４ａの縦断面図、可動下ストッパー１１及び固定上ストッパー１０は、開口部付き弾性樹脂筒状体１５ａと密着し、開口部付き弾性樹脂筒状体１５ａの内側に弾性部材１６と保液体１７が設けられている。【００２３】開口部付き弾性樹脂筒状体１５ａの素材は、可動下ストッパー１１によって中棒５上を上方に圧縮され放散口２０が開口され、圧縮力から解放されると元に戻る弾力性のある素材である。【００２４】  傘を開く動作で下ろくろ３の上方にスライドするのに連動し、可動下ストッパー１１が中棒５上を押上げられ、固定上ストッパー１０が中棒５に固定されているため弾性部材１６及び開口部付き弾性樹脂筒状体１５ａがたわみ放散口２０が開口し保液体１７が露出し、芳香の拡散が始まる、傘を閉じる動作で弾性部材１６及び開口部付き弾性樹脂筒状体１５ａの復元反発力を利用し可動下ストッパー１１を下方へスライドさせ、開口部付き弾性樹脂筒状体１５ａの放散口２０を閉じる。【００２５】弾性部材１６は、保液体１７と共に弾性樹脂筒状体（１５ａ）内に装着され、芳香発生器４の種類に応じてスプリングと板バネが使われ、錆、アルコール等の汚れで性能の劣化が少ない素材とする。【００２６】保液体１７はアルコール等が含まれる芳香液によって変質することがない合成素材使用し、可動下ストッパー１１のスライドで押し圧力に対応できる柔軟性を有する合成素材で、芳香液を吸収保液できる多重シートである。【００２７】保液体１７に収容される芳香液の成分としては、アセトフェノン、サルチル酸メチル、バニリン、クマリン、ムスク、けい皮アルデヒド、シトラール、シトロネラール、ゲラニオール、等を含む液体が挙げられる、また各種ハーブ等の植物性の香料を含む液体を使用できる、このような芳香液を効率よく収容する保液体１７は超薄タイプ合成シートの多重構造である。【００２８】図３は傘の状態を示し、芳香発生器４が着装された傘の縦断面図、下ろくろ３と可動固着ストッパー１１が上はじき７に保持され開口部付き弾性樹脂筒状体１５ａの放散口２０が開いて芳香の放散が継続している。芳香発生器４が傘上部に位置するため芳香を楽しむためにより効果的である。【００２９】図４は図３で示した傘の使用時で放散口が開いた開口部付き弾性樹脂筒状体１５ａの図１Ｂ−Ｂ断面図、着脱可能芳香発生器４ａでは板状の弾性部材１６を使う。【００３０】図５は図３で示した傘の使用時で中棒に固定上ストッパーが固定された、開口部付き弾性樹脂筒状体１５ａの図１Ｂ１−Ｂ１断面図である。【００３１】図６は、着脱可能芳香発生器４ａが中棒に設置さ��た常態を示す斜視図である。【００３２】図７は、着脱可能芳香発生器４ａの開口部１９が開いた常態を示す斜視図で、固定上ストッパー１０は弾性樹脂筒状体（１５ａ）に対して着脱可能であり、手開き傘、ジャンプ傘に対応可能である、固定上ストッパー１０及び可動下ストッパー１１には引掛け留め具１８ａ及び固定留め具１８ｂで構成された開口部留め具１８がある。【００３３】図８は、着脱可能芳香発生器４ａの中棒５に取り付け後の図６Ｃ‐Ｃ縦断面図であり、着脱可能芳香発生器４ａの内側には弾性部材１６、保液体１７、可動下ストッパー１１、固定上ストッパー１０が設けられ固定上ストッパー１０の着脱操作でジャンプ傘及び手開き傘に対応可能である。【００３４】図９は、着脱可能芳香発生器４ａが中棒５に取り付け後の傘常態縦断面図、芳香発生器４が傘最上部の芳香発生に有効な位置に設置されている。【００３５】図１０は、着脱可能芳香発生器４ａを中棒５に取り付け後の開口部付き弾性樹脂筒状体で、図６のＤ−Ｄ断面図で、放散口２０のスリット断面を斜めにカットして密閉効率を上げ、傘常態での芳香の拡散を防ぐ。【００３６】図１１は、着脱可能芳香発生器４ａの中棒５に取り付け後の、固定上ストッパー１０の図６のＤ１−Ｄ１断面図で開口部留め具（１８）が係合前の断面図である。【００３７】図１２は、市販手開き傘に着脱可能芳香発生器４ａを中棒に着装した斜視図で、手開き傘では固定上ストッパー及び可動下ストッパーを両方使い着装する。【００３８】図１３は、市販手開き傘に着脱可能芳香発生器４ａを中棒に着装した斜視図で、ジャンプ傘の市販傘着装済みストッパー２１に着脱可能ストッパー１０を着装した図である。【００３９】１４図は、着脱可能芳香発生器４ａの固定上ストッパー１０の着脱可能ストッパー１０ａを外し、市販傘着装済みのストッパー２１に取り付けた、着脱可能芳香発生器４ａの図１３Ｊ１−Ｊ１断面図、主にジャンプ傘に対応した着脱可能芳香発生器４ａである【００４０】図１５は、着脱可能芳香発生器４ａの固定上ストッパー１０を付けた図１３のＪ−Ｊ断面図である【００４１】図２４は、着脱可能芳香発生器４ａの開口部留め具１８で、引掛け留め具１８ａと固定留め具１８ｂの斜視図である。【００４２】図２５は、固定上ストッパーの斜視図、弾性樹脂筒状体１５に着装する、固定上ストッパー１０は開口部付き弾性筒状体（１５ａ）に対し着脱可能で中棒（５）に固着し、可動下ストッパー（１１）は、開口部付き弾性筒状体（１５ａ）に固着し、中棒５をスライド移動して放散口を開口する。
【実施例２】
【００４３】  実施例２は、傘組み立て時に着装する筒状芳香発生器に付いて図１６〜２２に基図いて説明する。
筒状芳香発生器４ｂは、芳香液を吸収するための保液体（１７）と
芳香を放散するための放散口（２０）を有する弾性樹脂筒状体（１５）と
固定上ストッパー及び（１０）可動下ストッパー（１１）とで
構成された、傘組み立て過程で着装された筒状芳香発生器４ｂであって、
傘の下ろくろ（３）と傘の上ろくろ（２）の間の前記中棒（５）に設置され、前記可動下ストッパー（１１）が相対的に動くことにより前記放散口（２０）が開き、前記保液体（１７）が露出して芳香を拡散することを特徴とする。【００４４】図１６は図３に示す上ろくろ（２）及び下ろくろ（３）の間に中棒に着装した閉塞部付き弾性樹脂筒状体（１５ｂ）の常態斜視図。【００４５】図１７は、前記傘組み立て時に、開き過ぎストッパーとして着装する保液体取り換え可能な閉塞部付き弾性樹脂筒状体（１５ｂ）の放散口（２０）が開いた斜視図。【００４６】図１８は、前記筒状芳香発生器（４ｂ）で、弾性部材（１６）をコイルスプリングで使用した保液体取り換え可能な閉塞部付き弾性樹脂筒状体（１５ｂ）の図１６のＥ‐Ｅ縦断面図。【００４７】図１９は、前記傘組み立て時に開き過ぎストッパーとして着装する保液体取り換え可能閉塞部付き弾性樹脂筒状体（１５ｂ）の着脱可能閉塞部材（１２）からストッパー雄部（１４）をストッパー雌部（１３）から取り外し保液体（１７）を抜き取り交換が可能な閉塞部付き弾性樹脂筒状体（１５ｂ）の図１６のＬ−Ｌ縦断面図である。【００４８】図２０は、塞部付き弾性樹脂筒状体（１５ｂ）中棒に設置した固定上ストッパー（１０）の断面図である。【００４９】図２１は、内側に保液体（１７）、弾性部材１６、中棒（５）を設置した塞部付き弾性樹脂筒状体１５ｂの図１７のＫ−Ｋ断面図、【００５０】図２２は、塞部付き弾性樹脂筒状体（１５ｂ）の放散口（２０）が開き、ストッパー雌部（１３）にストッパー雄部（１４）を嵌合した図１７のＬ−Ｌの縦断面図である。【００５１】図２３は、塞部付き弾性樹脂筒状体（１５ｂ）の図１６のＧ−Ｇ断面図である。【００５２】実施例２は、実施例１と動作及び効果が同一であり、同じ構成については同一の符号を使用し省略する。
【符号の説明】
【００２８】１‐石突き
２‐上ろくろ
３‐下ろくろ
４‐芳香発生器
４ａ‐着脱可能芳香発生器
４ｂ‐筒状芳香発生器
５‐中棒
６‐受け骨
７‐上はじき
８‐下はじき
９‐親骨
１０‐固定上ストッパー
１１‐可動下ストッパー
１２‐着脱可能閉塞部材
１３  ストッパー雌部
１４  ストッパー雄部
１５‐弾性樹脂筒状体
１５ａ‐開口部付き弾性樹脂筒状体
１５ｂ‐閉塞部付き弾性樹脂筒状体
１６‐弾性部材
１７‐保液体
１８‐開口部留め具
１８ａ‐引掛け留め具
１８ｂ‐固定留め具
１９‐開口部
２０‐放散口
２１‐市販傘着装済みストッパー
【図１】
2018033903.tif 000003
【図２】
2018033903.tif 000004
【図３】
2018033903.tif 000005
【図４】
2018033903.tif 000006
【図５】
2018033903.tif 000007
【図６】
2018033903.tif 000008
【図７】
2018033903.tif 000009
【図８】
2018033903.tif 000010
【図９】
2018033903.tif 000011
【図１０】
2018033903.tif 000012
【図１１】
2018033903.tif 000013
【図１２】
2018033903.tif 000014
【図１３】
2018033903.tif 000015
【図１４】
2018033903.tif 000016
【図１５】
2018033903.tif 000017
【図１６】
2018033903.tif 000018
【図１７】
2018033903.tif 000019
【図１８】
2018033903.tif 000020
【図１９】
2018033903.tif 000021
【図２０】
2018033903.tif 000022
【図２１】
2018033903.tif 000023
【図２２】
2018033903.tif 000024
【図２３】
2018033903.tif 000025
【図２４】
2018033903.tif 000026
【図２５】
2018033903.tif 000027